(57)【要約】【課題】投稿記事で話題となっている情報を、ユーザが容易に取得できる「情報端末システム」を提供する。【解決手段】SNSクライアント１１１は、SNSサーバ６０から取得したタイムライン２１０の表示上で投稿記事４１０に含まれる話題タグ４１３がユーザによって選択されたならば、TVチャネルとTVチャネルに関連する語句との対応を登録した情報チャネル関連ワードテーブルを参照して、話題タグ４１３と位位置する語句との対応が登録されているTVチャネルを検索し、TVコントロール１１３に検索したTVチャネルの受信と受信した番組の表示出力を行わせる【選択図】図４
2014120908.tif 000002
【特許請求の範囲】
【請求項１】
記事の投稿の受け付けと投稿を受け付けた記事の公開とを行う外部のサーバに通信を介してアクセスして当該サーバから前記記事を取得し、取得した記事を表示するクライアントと、
番組が配信される放送チャネルのうちの、受信チャネルとして設定された放送チャネルの受信とユーザに対する出力とを行う放送受信部と、
前記クライアントが表示した記事に含まれる語句が関連する放送チャネルを算定し、前記放送受信部に、算定した放送チャネルを前記受信チャネルとして設定する関連情報出力制御部とを有することを特徴とする情報端末システム。
【請求項２】
請求項１記載の情報端末システムであって、
前記クライアントは、前記サーバから複数の前記記事を取得し、取得した記事を並べて配置した記事表示画面を前記表示装置に表示し、
前記関連情報出力制御部は、前記記事表示画面上でユーザによって選定された前記記事に含まれる語句が関連する放送チャネルを算定し、前記放送受信部に、算定した放送チャネルを前記受信チャネルとして設定することを特徴とする情報端末システム。
【請求項３】
請求項１記載の情報端末システムであって、
前記記事は、当該記事が話題としている対象を表す語句であるタグを含み、
前記クライアントは、前記サーバから取得した記事を配置した記事表示画面を前記表示装置に表示し、
前記関連情報出力制御部は、前記記事画面上でユーザによって選定されたタグが関連する放送チャネルを算定し、前記放送受信部に、算定した放送チャネルを前記受信チャネルとして設定することを特徴とする情報端末システム。
【請求項４】
請求項１、２または３記載の情報端末システムであって、
複数の語句の各々について当該語句と当該語句が関連する放送チャネルとの対応を登録した対応テーブルを格納した記憶部を有し、
前記関連情報出力制御部は、前記記事に含まれる語句との対応が前記対応テーブルに登録されている放送チャネルを、当該語句が関連する放送チャネルとして算定することを特徴とする情報端末システム。
【請求項５】
請求項４記載の情報端末システムであって、
各々が地域毎に対応して設けられた、複数の前記対応テーブルと、
現在位置を算出する現在位置算出部とを有し、
前記各対応テーブルに前記語句との対応が登録される放送チャネルは、当該対応テーブルに対応する地域内で受信可能な放送チャネルであり、
前記関連情報出力制御部は、前記記事に含まれる語句との対応が、前記現在位置算出部が算出した現在位置を含む地域に対応して設けられた前記対応テーブルに登録されている放送チャネルを、当該語句が関連する放送チャネルとして算定することを特徴とする情報端末システム。
【請求項６】
請求項１、２または３記載の情報端末システムであって、
前記放送チャネルの識別情報と番組の配信スケジュールとを表す配信情報を、複数の放送チャネルについて登録した電子番組表を格納した記憶部を有し、
前記関連情報出力制御部は、前記電子番組表において前記記事に含まれる語句が前記配信情報に含まれる放送チャネルを、当該語句が関連する放送チャネルとして算定することを特徴とする情報端末システム。
【請求項７】
請求項１、２、３、４または.５記載の情報端末システムであって、
前記放送はテレビ放送であり、前記放送チャネルはテレビ番組が配信されるテレビチャネルであることを特等とする情報端末システム。
【請求項８】
請求項１、２、３、４または５記載の情報端末システムであって、
前記放送はラジオ放送であり、前記放送チャネルはラジオ番組が配信されるラジオチャネルであることを特等とする情報端末システム。
【請求項９】
記事の投稿の受け付けと投稿を受け付けた記事の公開とを行う外部のサーバに通信を介してアクセスして当該サーバから前記記事を取得し、取得した記事を表示するクライアントと、
インターネット上のコンテンツを取得し表示するWebブラウザと、
前記クライアントが表示した記事に含まれる語句が関連する前記コンテンツを算定し、前記Webブラウザに、算定したコンテンツの取得と表示を行わせる関連情報出力制御部とを有することを特徴とする情報端末システム。
【請求項１０】
請求項９記載の情報端末システムであって、
前記クライアントは、前記サーバから複数の前記記事を取得し、取得した記事を並べて配置した記事表示画面を前記表示装置に表示し、
前記関連情報出力制御部は、前記記事表示画面上でユーザによって選定された前記記事に含まれる語句が関連するコンテンツを算定し、前記Webブラウザに、算定したコンテンツの取得と表示を行わせることを特徴とする情報端末システム。
【請求項１１】
請求項９記載の情報端末システムであって、
前記記事は、当該記事が話題としている対象を表す語句であるタグを含み、
前記クライアントは、前記サーバから取得した記事を配置した記事表示画面を前記表示装置に表示し、
前記関連情報出力制御部は、前記記事表示画面上でユーザによって選定されたタグが関連するコンテンツを算定し、前記Webブラウザに、算定したコンテンツの取得と表示を行わせることを特徴とする情報端末システム。
【請求項１２】
請求項９、１０または１１記載の情報端末システムであって、
複数の語句の各々について当該語句と当該語句が関連する前記コンテンツとの対応を登録した対応テーブルを格納した記憶部を有し、
前記関連情報出力制御部は、前記記事に含まれる語句との対応が前記対応テーブルに登録されている前記コンテンツを、当該語句が関連するコンテンツとして算定し、前記Webブラウザに、算定したコンテンツの取得と表示を行わせることを特徴とする情報端末システム。
【請求項１３】
請求項９、１０、１１または１２記載の情報端末システムであって、
前記コンテンツはWebページであることを特徴とする情報端末システム。
【請求項１４】
記事の投稿の受け付けと投稿を受け付けた記事の公開とを行う外部のサーバに通信を介してアクセスして当該サーバから前記記事を取得し、取得した記事を表示するクライアントと、
番組が配信される放送チャネルのうちの、受信チャネルとして設定された放送チャネルの受信とユーザに対する出力とを行う放送受信部と、
各放送チャネルで配信される各番組の番組名と配信スケジュールとを表す電子番組表を格納した記憶部と、
予約が登録された番組の録画、もしくは、予約が登録された番組のユーザの視聴の支援を行う予約番組処理部と、
前記電子番組表から、前記配信スケジュールが現在より後の時刻であって、前記番組名が前記クライアントが表示した記事に含まれる語句が関連する番組を算定し、当該算定した番組の予約を前記予約番組処理部に登録する番組予約部とを有することを特徴とする情報端末システム。
【請求項１５】
請求項１４記載の情報端末システムであって、
前記クライアントは、前記サーバから複数の前記記事を取得し、取得した記事を並べて配置した記事表示画面を前記表示装置に表示し、
前記番組予約部は、前記記事表示画面上でユーザによって選定された前記記事に含まれる語句が関連する番組を算定し、当該算定した番組の予約を前記予約番組処理部に登録することを特徴とする情報端末システム。
【請求項１６】
請求項１４記載の情報端末システムであって、
前記記事は、当該記事が話題としている対象を表す語句であるタグを含み、
前記クライアントは、前記サーバから取得した記事を配置した記事表示画面を前記表示装置に表示し、
前記番組予約部は、前記記事表示画面上でユーザによって選定されたタグが関連する番組を算定し、当該算定した番組の予約を前記予約番組処理部に登録することを特徴とする情報端末システム。
【請求項１７】
番組が配信される放送チャネルのうちの、受信チャネルとして設定された放送チャネルの受信とユーザに対する出力とを行う放送受信部を備えたコンピュータによって読み取られ実行されるコンピュータプログラムであって、
前記コンピュータを、
記事の投稿の受け付けと投稿を受け付けた記事の公開とを行う外部のサーバに通信を介してアクセスして当該サーバから前記記事を取得し、取得した記事を表示するクライアントと、
前記クライアントが表示した記事に含まれる語句が関連する放送チャネルを算定し、前記放送受信部に、算定した放送チャネルを前記受信チャネルとして設定する関連情報出力制御部として機能させることを特等とするコンピュータプログラム。
【請求項１８】
コンピュータによって読み取られ実行されるコンピュータプログラムであって、
前記コンピュータを、
記事の投稿の受け付けと投稿を受け付けた記事の公開とを行う外部のサーバに通信を介してアクセスして当該サーバから前記記事を取得し、取得した記事を表示するクライアントと、
インターネット上のコンテンツを取得し表示するWebブラウザと、
前記クライアントが表示した記事に含まれる語句が関連する前記コンテンツを算定し、前記Webブラウザに、算定したコンテンツの取得と表示を行わせる関連情報出力制御部として機能させることを特徴とするコンピュータプログラム。
【請求項１９】
番組が配信される放送チャネルのうちの、受信チャネルとして設定された放送チャネルの受信とユーザに対する出力とを行う放送受信部を備えたコンピュータによって読み取られ実行されるコンピュータプログラムであって、
前記コンピュータを、
記事の投稿の受け付けと投稿を受け付けた記事の公開とを行う外部のサーバに通信を介してアクセスして当該サーバから前記記事を取得し、取得した記事を表示するクライアントと、
各放送チャネルで配信される各番組の番組名と配信スケジュールとを表す電子番組表を格納した記憶部と、
予約が登録された番組の録画、もしくは、予約が登録された番組のユーザの視聴の支援を行う予約番組処理部と、
前記電子番組表から、前記配信スケジュールが現在より後の時刻であって、前記番組名が前記クライアントが表示した記事に含まれる語句が関連する番組を算定し、当該算定した番組の予約を前記予約番組処理部に登録する番組予約部として機能させることを特徴とするコンピュータプログラム。
【発明の詳細な説明】
【技術分野】
【０００１】
本発明は、投稿された投稿記事を公開する投稿システムにおいて、投稿記事に関連した情報の利用を支援する技術に関するものである。
【背景技術】
【０００２】
SNS（social networking service）などの投稿された投稿記事を公開する投稿システムにおいて、投稿記事に関連した情報の利用を支援する技術としては、投稿記事に含まれる語句とTV番組表に含まれる語句との部分一致部分をキーワードとして、当該キーワードを含む他の記事を検索する技術が知られている（たとえば、特許文献１）。
【０００３】
また、本発明に関する技術としては、TV装置において、ユーザから設定されたキーワードに関連する番組を放送しているチャネルに、受信するチャネルを自動的に切り替える技術が知られている（たとえば、特許文献２）。
【先行技術文献】
【特許文献】
【０００４】
【特許文献１】特開2012-150662号公報
【特許文献２】特開2009-65266号公報
【発明の概要】
【発明が解決しようとする課題】
【０００５】
投稿システムに投稿された投稿記事を閲覧しているユーザが、投稿記事で話題の対象となっている情報を取得する場合、ユーザ自身が、当該情報が提供されている情報チャネルを特定し、特定した情報チャネルにアクセスして、当該情報を取得する煩雑な作業を行う必要がある。
【０００６】
すなわち、たとえば、投稿記事で話題の対象となっている情報がTV番組であれば、そのTV番組を視聴するために、ユーザは、そのTV番組が放送されているTVチャネルをTV番組表などを参照して調べた上で、TV装置の受信TVチャネルを調べたTVチャネルに切り替える煩雑な作業を行わなければならない。
【０００７】
そこで、本発明は、投稿システムに投稿された投稿記事で話題となっている情報を、ユーザが、より容易に取得できるようにすることを課題とする。
【課題を解決するための手段】
【０００８】
前記課題達成のために、本発明は、記事の投稿の受け付けと投稿を受け付けた記事の公開とを行う外部のサーバに通信を介してアクセスして当該サーバから前記記事を取得し、取得した記事を表示するクライアントと、番組が配信される放送チャネルのうちの、受信チャネルとして設定された放送チャネルの受信とユーザに対する出力とを行う放送受信部と、前記クライアントが表示した記事に含まれる語句が関連する放送チャネルを算定し、前記放送受信部に、算定した放送チャネルを前記受信チャネルとして設定する関連情報出力制御部とを備えた情報端末システムを提供する。
【０００９】
ここで、このような情報端末システムは、前記クライアントにおいて、前記サーバから複数の前記記事を取得し、取得した記事を並べて配置した記事表示画面を前記表示装置に表示し、前記関連情報出力制御部において、前記記事表示画面上でユーザによって選定された前記記事に含まれる語句が関連する放送チャネルを算定し、前記放送受信部に、算定した放送チャネルを前記受信チャネルとして設定するように構成してもよい。
【００１０】
または、このような情報端末システムは、前記記事が、当該記事が話題としている対象を表す語句であるタグを含むものである場合には、前記クライアントにおいて、前記サーバから取得した記事を配置した記事表示画面を前記表示装置に表示し、前記関連情報出力制御部において、前記記事表示画面上でユーザによって選定されたタグが関連する放送チャネルを算定し、前記放送受信部に、算定した放送チャネルを前記受信チャネルとして設定するように構成してもよい。
【００１１】
また、以上の各情報端末システムは、当該情報端末システムに、複数の語句の各々について当該語句と当該語句が関連する放送チャネルとの対応を登録した対応テーブルを格納した記憶部を設け、前記関連情報出力制御部において、前記記事に含まれる語句との対応が前記対応テーブルに登録されている放送チャネルを、当該語句が関連する放送チャネルとして算定するように構成してもよい。
【００１２】
また、この場合には、情報端末システムに、現在位置を算出する現在位置算出部を備えると共に、前記対応テーブルを複数、地域毎に対応して設け、各対応テーブルに前記語句との対応が登録される放送チャネルを、当該対応テーブルに対応する地域内で受信可能な放送チャネルとし、前記関連情報出力制御部において、前記記事に含まれる語句との対応が、前記現在位置算出部が算出した現在位置を含む地域に対応して設けられた前記対応テーブルに登録されている放送チャネルを、当該語句が関連する放送チャネルとして算定するようにしてもよい。
【００１３】
また、以上の各情報端末システムは、当該情報端末システムに、前記放送チャネルの識別情報と番組の配信スケジュールとを表す配信情報を、複数の放送チャネルについて登録した電子番組表を格納した記憶部を設け、前記関連情報出力制御部において、前記電子番組表において前記記事に含まれる語句が前記配信情報に含まれる放送チャネルを、当該語句が関連する放送チャネルとして算定するように構成してもよい。
【００１４】
ここで、以上の情報端末システムにおいて、前記放送はテレビ放送であり、前記放送チャネルはテレビ番組が配信されるテレビチャネルであってよい。または、前記放送はラジオ放送であり、前記放送チャネルはラジオ番組が配信されるラジオチャネルであってよい。
【００１５】
以上のような情報端末システムによれば、放送チャネルで放送されている番組を話題としている記事に、その放送チャネルに関連する語句が含まれていれば、当該放送チャネルを放送受信部に受信出力させることができる。
よって、ユーザは、記事で話題の対象となっている番組を、容易に視聴することができるようになる。
また、前記課題達成のために、本発明は、記事の投稿の受け付けと投稿を受け付けた記事の公開とを行う外部のサーバに通信を介してアクセスして当該サーバから前記記事を取得し、取得した記事を表示するクライアントと、インターネット上のコンテンツを取得し表示するWebブラウザと、前記クライアントが表示した記事に含まれる語句が関連する前記コンテンツを算定し、前記Webブラウザに、算定したコンテンツの取得と表示を行わせる関連情報出力制御部とを備えた情報端末システムを提供する。
【００１６】
ここで、このような情報端末システムは、前記クライアントにおいて、前記サーバから複数の前記記事を取得し、取得した記事を並べて配置した記事表示画面を前記表示装置に表示し、前記関連情報出力制御部において、前記記事表示画面上でユーザによって選定された前記記事に含まれる語句が関連するコンテンツを算定し、前記Webブラウザに、算定したコンテンツの取得と表示を行わせるように構成してもよい。
【００１７】
または、このような情報端末システムは、前記記事が、当該記事が話題としている対象を表す語句であるタグを含むものである場合には、前記クライアントにおいて、前記サーバから取得した記事を配置した記事表示画面を前記表示装置に表示し、前記関連情報出力制御部において、前記記事表示画面上でユーザによって選定されたタグが関連するコンテンツを算定し、前記Webブラウザに、算定したコンテンツの取得と表示を行わせるように構成してもよい。
【００１８】
また、以上の各情報端末システムは、当該情報端末システムに、複数の語句の各々について当該語句と当該語句が関連する前記コンテンツとの対応を登録した対応テーブルを格納した記憶部を設け、前記関連情報出力制御部において、前記記事に含まれる語句との対応が前記対応テーブルに登録されている前記コンテンツを、当該語句が関連するコンテンツとして算定し、前記Webブラウザに、算定したコンテンツの取得と表示を行わせるように構成してもよい。
【００１９】
なお、以上の情報端末システムにおいて、前記コンテンツはWebページであってよい。
このような情報端末システムによれば、インターネット上のコンテンツを話題としている記事に、そのコンテンツに関連する語句が含まれていれば、当該コンテンツをWebブラウザに取得、表示させることができる。
よって、ユーザは、記事で話題の対象となっているインターネット上のコンテンツを、容易に閲覧することができるようになる。
ここで、本発明は、さらに、記事の投稿の受け付けと投稿を受け付けた記事の公開とを行う外部のサーバに通信を介してアクセスして当該サーバから前記記事を取得し、取得した記事を表示するクライアントと、番組が配信される放送チャネルのうちの、受信チャネルとして設定された放送チャネルの受信とユーザに対する出力とを行う放送受信部と、各放送チャネルで配信される各番組の番組名と配信スケジュールとを表す電子番組表を格納した記憶部と、予約が登録された番組の録画、もしくは、予約が登録された番組のユーザの視聴の支援を行う予約番組処理部と、前記電子番組表から、前記配信スケジュールが現在より後の時刻であって、前記番組名が前記クライアントが表示した記事に含まれる語句が関連する番組を算定し、当該算定した番組の予約を前記予約番組処理部に登録する番組予約部とを備えた情報端末システムも提供する。
【００２０】
ここで、このような情報端末システムにおいて、前記クライアントは、前記サーバから複数の前記記事を取得し、取得した記事を並べて配置した記事表示画面を前記表示装置に表示するものであってよく、前記番組予約部は、前記記事表示画面上でユーザによって選定された前記記事に含まれる語句が関連する番組を算定し、当該算定した番組の予約を前記予約番組処理部に登録するものであってよい。
【００２１】
または、前記記事が、当該記事が話題としている対象を表す語句であるタグを含むものである場合には、このような情報端末システムは、前記クライアントにおいて、前記サーバから取得した記事を配置した記事表示画面を前記表示装置に表示し、前記番組予約部において、前記記事表示画面上でユーザによって選定されたタグが関連する番組を算定し、当該算定した番組の予約を前記予約番組処理部に登録するように構成してもよい。
【００２２】
このような情報端末システムによれば、放送チャネルで放送されている番組を話題としている記事に、その番組に関連する語句が含まれていれば、当該番組の録画や視聴を登録することができる。
よって、ユーザは、記事で話題の対象となっている番組を、容易に録画したり視聴することができるようになる。
【発明の効果】
【００２３】
以上のように、本発明によれば、投稿システムに投稿された投稿記事で話題となっている情報を、ユーザが、より容易に取得できるようになる。
【図面の簡単な説明】
【００２４】
【図１】本発明の実施形態に係る複合情報端末システムの構成を示すブロック図である。
【図２】本発明の実施形態に係る複合情報端末システムの表示例を示す図である。
【図３】本発明の実施形態で用いる情報チャネル関連ワードテーブルとEPGデータを示す図である。
【図４】本発明の実施形態に係る検索キーを受け付けるためのユーザインタフェースを示す図である。
【図５】本発明の実施形態に係る情報チャネル出力処理を示すフローチャートである。
【図６】本発明の実施形態に係る複合情報端末システムの他の構成例を示すブロック図である。
【図７】本発明の実施形態に係る複合情報端末システムの他の構成例を示すブロック図である。
【発明を実施するための形態】
【００２５】
以下、本発明の実施形態について説明する。
図１に、本実施形態に係る複合情報端末システムの構成を示す。
図示するように、複合情報端末システム１は、表示装置１０１、音声出力装置１０２、入力装置１０３、通信装置１０４、TVチューナ１０５、記憶装置１０６、オペレーティングシステム１０７、オペレーティングシステム１０７によって管理されオペレーティングシステム１０７上で稼働する複数のアプリケーションを備えている。
【００２６】
そして、複合情報端末システム１は、オペレーティングシステム１０７上で稼働するアプリケーションとして、SNSクライアント１１１、Webブラウザ１１２、TVコントロール１１３などを備えている。
ここで、各アプリケーションは、オペレーティングシステム１０７を介して、表示装置１０１、音声出力装置１０２、入力装置１０３、通信装置１０４、TVチューナ１０５、記憶装置１０６の機能を利用することができる。
ただし、複合情報端末システム１は、ハードウエア的には、ＣＰＵやメモリなどを備えたコンピュータを用いて構成されるものあり、オペレーティングシステム１０７や、各アプリケーションなどは、当該コンピュータが、所定のコンピュータプログラムを実行することにより実現されるものである。
【００２７】
さて、このような構成において、TVチューナ１０５は、TV放送局２０から放送されるTV放送のうち、受信チャネルとして設定されたTVチャネルで放送されているTV番組を受信する。また、TVコントロール１１３は、TVチューナ１０５の受信チャネルの切替や、TVチューナ１０５が受信チャネルで受信したTV番組の表示装置１０１や音声出力装置１０２への出力を制御する。また、TVコントロール１１３は、電子番組表を取得して記憶装置１０６に格納したり、記憶装置１０６に格納されている電子番組表を表示装置１０１に表示する処理なども行う。ここで、電子番組表は、TV放送局２０から放送される電子番組表をTVチューナ１０５で受信することにより取得することができる。または、電子番組表は、通信装置１０４を介してインターネット３０上に配置されている、電子番組表を配信するEPGサーバ４０にアクセスして取得することもできる。
【００２８】
次に、Webブラウザ１１２は、通信装置１０４を介してインターネット３０上のWebサーバ５０にアクセスし、Webサーバ５０が配信するWebコンテンツ（Webページや動画や画像）の表示装置１０１や音声出力装置１０２への出力を制御する。
そして、SNSクライアント１１１は、インターネット３０上に配置されたSNSサーバ６０が提供するSNS（Social Networking Service）のクライアントである。
ここで、SNSサーバ６０は、図示するように、投稿された投稿記事を蓄積した投稿記事データベース６１、SNSクライアント１１１からの投稿記事の投稿を受け付けて投稿記事データベース６１に格納する投稿受付部６２、SNSクライアント１１１から閲覧を要求された投稿記事群を投稿記事データベース６１から読み出し、読み出した投稿記事群の各投稿記事を投稿時刻順に並べたタイムラインをSNSクライアント１１１に送信する投稿記事サーバ６３などを備えている。
【００２９】
そして、SNSクライアント１１１は、このようなSNSサーバ６０に通信装置１０４、インターネット３０を介してアクセスし、SNSサーバ６０への投稿記事の投稿や、SNSサーバ６０から送られたタイムラインの表示装置１０１への表示などを制御する。
さて、ここで、SNSクライアント１１１によるタイムラインの表示装置１０１への表示と、TVコントロール１１３によるTV番組の表示装置１０１への表示は、図２ａ１のタイムライン２１０の表示、図２ａ２のTV番組２２０の表示のように、それぞれの表示を表示装置１０１の表示画面の全面を用いて行うようにしてもよいし、図２ｂに示すように、表示装置１０１の表示画面を分割した二つの分割画面を用いて、タイムライン２１０の表示とTV番組２２０の表示とを同時に行うようにしてもよい。
【００３０】
次に、このような複合情報端末システム１において記憶装置１０６に記憶される情報チャネル関連ワードテーブルと、EPGデータについて説明する。
図３ａに示すように、情報チャネル関連ワードテーブルには、TVチャネルもしくはWebページを一つの情報チャネルとして、各情報チャネルの情報が登録されている。また、登録される各情報チャネルの情報としては、当該情報チャネルのソースと、当該情報チャネルのアドレス、関連ワードが登録される。
【００３１】
ここで、情報チャネルのソースには、当該情報チャネルがTVチャネルである場合にはTVが、当該情報チャネルがWebページであればWWWが登録される。
また、情報チャネルのアドレスとしては、情報チャネルがTVチャネルである場合には、そのTVチャネルのリモコンキーID（当該放送チャネルがTV受信機において割り当てられるリモコン番号）を登録し、情報チャネルがWebページである場合には、そのWebページのURLを登録する。
【００３２】
また、情報チャネルの関連ワードとしては、その情報チャネルを表すために用いられるワードを１つまたは複数登録する。
すなわち、たとえば、リモコンキーIDが1chであり、TVチャネルで放送を行う放送局名がMHKであるTVチャネルである情報チャネルには、関連ワードとして、「1ch」や「MHK」が登録される。また、たとえば、「redsports」のサービス名でスポーツゲームのライブビデオ配信を行っているWebページである情報チャネルには、関連ワードとして、「redsports」の名称などを関連ワードとして登録する。
【００３３】
次に、図３ｂに示すように、EPGデータは、TVコントロール１１３が取得した電子番組表のデータであり、図示するように、放送が行われている各TVチャネルについて、当該TVチャネルのリモコンキーIDと当該TVチャネルで放送を行っている放送局名とよりなるTVチャネル情報３０１と、そのTVチャネルで放送される各時間帯の番組のタイトルや内容を表す番組情報３０２とが登録されている。
【００３４】
以下、このような構成においてSNSクライアント１１１が行う、投稿記事に関連する情報チャネルの情報を自動出力する動作について説明する。
ここで、図２ａ１または図２ｂのようにSNSクライアント１１１がSNSサーバ６０から取得して表示装置１０１に表示するタイムライン２１０は、図４ａ１に示すように、「つぶやき」等とも呼称される投稿記事４１０を複数、投稿時刻が新しいものより順に上から下に配置したものであり、各投稿記事４１０は、投稿者の識別情報４１１と、投稿文４１２の他に、ハッシュタグなどとも呼称される話題タグ４１３を含むことができる。ここで、話題タグ４１３は、投稿文４１２で話題としている対象を表す語句であり、同じ話題を対象としている投稿記事４１０のグループの識別子として機能する。
【００３５】
さて、このような図４ａ１に示すタイムライン２１０の表示上で、いずれかの投稿記事４１０に含まれる話題タグ４１３がユーザによって選択されたならば、図４ａ２に示すように、問い合わせウインドウ４２０を表示し、記事検索を行うか情報チャネル検索を行うかをユーザに問い合わせる。
【００３６】
そして、問い合わせウインドウ４２０で、記事検索を指示されたならば、選択された話題タグ４１３を検索キーとする投稿記事４１０の検索要求を、SNSサーバ６０に送信し、選択された話題タグ４１３を含む投稿記事４１０のタイムラインを取得して、取得したタイムラインに表示装置１０１に表示するタイムラインを更新する。
【００３７】
ここで、SNSサーバ６０の投稿記事サーバ６３は、話題タグ４１３を検索キーとする投稿記事４１０の検索要求を受け取ったならば、検索キーとなっている話題タグ４１３を含む投稿記事４１０を投稿記事データベース６１より所定数抽出し、抽出した投稿記事４１０を投稿時刻順に並べたタイムラインを、検索要求元のSNSクライアント１１１に送信する。
【００３８】
一方、図４ａ２に示す問い合わせウインドウ４２０で情報チャネル検索を指示された場合には、SNSクライアント１１１は、選択された話題タグ４１３を検索キーとして、後述する情報チャネル出力処理を起動し実行する。
また、SNSクライアント１１１は、図４ｂ１に示すように、タイムライン２１０の表示上で、いずれかの投稿記事４１０がユーザによって選択されたならば、図４ｂ２に示すように、問い合わせウインドウ４３０を表示し、情報チャネル検索を行うかどうかをユーザに問い合わせる。
【００３９】
そして、図４ｂ２に示す問い合わせウインドウ４３０で情報チャネル検索を指示された場合には、SNSクライアント１１１は、選択された投稿記事４１０を検索キーとして、後述する情報チャネル出力処理を起動、実行する。
以下、以上のようにして起動される情報チャネル出力処理について説明する。
図５に、この情報チャネル出力処理の手順を示す。
図示するように、この処理では、まず検索キーが話題タグ４１３であるか投稿記事４１０であるかどうかを調べる（ステップ５０２）。
そして、検索キーが話題タグ４１３であれば（ステップ５０２）、まず、検索キーとなっている話題タグ４１３が関連ワードとして登録されている情報チャネルを情報チャネル関連ワードテーブルから検索する（ステップ５０４）。そして、検索キーとなっている話題タグ４１３が関連ワードとして登録されている情報チャネルの検索が成功したかどうかを調べる（ステップ５０６）。
【００４０】
そして、検索が成功していれば（ステップ５０６）、検索した情報チャネルのソースがTVであるかWWWであるかを判定し（ステップ５１２）、WWWであれば、検索した情報チャネルのアドレス（ここでは、WebページのURL）のアクセスをWebブラウザ１１２に要求し（ステップ５１４）、処理を終了する。
【００４１】
ここで、Webページである情報チャネルのアドレス(URL)へのアクセスを要求されたWebブラウザ１１２は、通信装置１０４、インターネット３０を介して、Webサーバ５０上のアクセスを要求されたURLにアクセスして、当該URLのWebページを取得し、たとえば、図２ｃ１または図２ｃ２に示すように、取得したWebページ２３０を表示装置１０１に表示する。
【００４２】
一方、検索した情報チャネルのソースがWWWでなくTVである場合には（ステップ５１２）、検索した情報チャネルのアドレス（ここでは、TVチャネルのリモコンキーID）のTVチャネルへの受信チャネルの切替をTVコントロール１１３に要求し（ステップ５１６）、処理を終了する。
【００４３】
ここで、受信チャネルの切替を要求されたTVコントロール１１３は、TVチューナ１０５を制御して、切替後の受信シャネルのリモコンキーIDに対応するTVチャネルの受信開始と、図２ａ２、図２ｂに示すような当該TVチャネルで受信したTV番組２２０の表示とを制御する。
【００４４】
一方、ステップ５０６において、話題タグ４１３が関連ワードとして登録されている情報チャネルの情報チャネル関連ワードテーブルからの検索に失敗したと判定された場合には、検索キーとなっている話題タグ４１３と同じ語句をTVチャネル情報３０１または番組情報３０２に含むTVチャネルを、EPGデータが表す電子番組表から検索する（ステップ５０８）。そして、検索キーとなっている話題タグ４１３を電子番組表から検索できたかどうかを調べる（ステップ５１０）。
【００４５】
そして、検索キーとなっている話題タグ４１３と同じ語句を含むTVチャネルが電子番組表から検索できなかった場合には（ステップ５１０）、そのまま処理を終了する。
一方、検索キーとなっている話題タグ４１３と同じ語句をTVチャネル情報３０１または番組情報３０２に含むTVチャネルが電子番組表から検索できた場合には（ステップ５１０）、当該TVチャネルのリモコンキーIDのTVチャネルへの受信チャネルの切替をTVコントロール１１３に要求し（ステップ５１６）、処理を終了する。
【００４６】
次に、ステップ５０２で検索キーが投稿記事４１０であると判定された場合には、情報チャネル関連ワードテーブルのいずれかの情報チャネルに対して登録されている関連ワードが、検索キーとなっている投稿記事４１０に含まれているかどうかを検索する（ステップ５１８）。そして、検索が成功したかどうかを調べ（ステップ５２０）、失敗していれば、そのまま処理を終了する。
【００４７】
一方、検索が成功していれば（ステップ５２０）、検索キーとなっている投稿記事４１０に含まれていた関連ワードが登録されていた情報チャネルのソースがTVであるかWWWであるかを判定し（ステップ５１２）、WWWであれば、検索キーとなっている投稿記事４１０に含まれていた関連ワードが登録されていた情報チャネルのアドレス（ここでは、URL）のアクセスをWebブラウザ１１２に要求し（ステップ５１４）、処理を終了する。
【００４８】
一方、検索キーとなっている投稿記事４１０に含まれていた関連ワードが登録されていた情報チャネルのソースがWWWでなくTVである場合には（ステップ５１２）、検索キーとなっている投稿記事４１０に含まれていた関連ワードが登録されていた情報チャネルのアドレス（ここでは、TVチャネルのリモコンキーID）のTVチャネルへの受信チャネルの切替をTVコントロール１１３に要求し（ステップ５１６）、処理を終了する。
【００４９】
以上、情報チャネル出力処理について説明した。
以上、本発明の実施形態について説明した。
ところで、以上の実施形態は、録画予約を登録されたTV番組の録画や、視聴予約を登録されたTV番組の視聴の支援を行う機能をTVコントロール１１３に設け、SNSクライアント１１１が投稿記事を利用したTVコントロール１１３へのTV番組の録画予約や視聴予約も行うようにしてもよい。
【００５０】
すなわち、SNSクライアント１１１は、上述のようにユーザが投稿記事４１０に含まれる話題タグ４１３を選択したときに表示する図４ａ２に示す問い合わせウインドウ４２０に「録画予約」、「視聴予約」の指示を受け付けるボタンを表示し、「録画予約」が指示されたならば、放送時間帯が現在時刻以降の番組の番組情報であって、選択された話題タグ４１３と一致または部分一致等の形態で近似する語句を含む番組情報３０２を、EPGデータが表す電子番組表から検索する。そして、検索が成功したならば検索した番組情報の番組の録画予約をTVコントロール１１３に登録する。
【００５１】
また、同様に、SNSクライアント１１１は、問い合わせウインドウ４２０で「視聴予約」が指示されたならば、放送時間帯が現在時刻以降の番組の番組情報であって、選択された話題タグ４１３と一致または部分一致等の形態で近似する語句を含む番組情報３０２を、EPGデータが表す電子番組表から検索する。そして、検索が成功したならば検索した番組情報の番組の視聴予約をTVコントロール１１３に登録する。
【００５２】
また、SNSクライアント１１１は、さらに、上述のように投稿記事４１０がユーザによって選択されたときに表示する図４ｂ２に示す問い合わせウインドウ４３０に「録画予約」、「視聴予約」の指示を受け付けるボタンを表示し、各指示を受け付けるようにしてもよい。
【００５３】
そして、この場合、SNSクライアント１１１は、問い合わせウインドウ４３０で「録画予約」が指示されたならば、放送時間帯が現在時刻以降の番組の番組情報であって、選択された投稿記事４１０に含まれる語句と一致または部分一致等の形態で近似する語句を含む番組情報３０２を、EPGデータが表す電子番組表から検索し、検索が成功したならば検索した番組情報の番組の録画予約をTVコントロール１１３に登録する。また、同様に、SNSクライアント１１１は、問い合わせウインドウ４３０で「視聴予約」が指示されたならば、放送時間帯が現在時刻以降の番組の番組情報であって、選択された投稿記事４１０に含まれる語句と一致または部分一致等の形態で近似する語句を含む番組情報３０２を、EPGデータが表す電子番組表から検索し、検索が成功したならば検索した番組情報の番組の視聴予約をTVコントロール１１３に登録する。
【００５４】
なお、録画予約を登録されたTV番組の録画は、TVコントロール１１３が、EPGデータを参照して、録画予約を登録されたTV番組の放送時にTVチューナ１０５に、録画予約を登録されたTV番組を受信させ、受信したTV番組の番組データを記憶装置１０６に記憶することにより行う。また、視聴予約を登録されたTV番組の視聴の支援は、TVコントロール１１３が、EPGデータを参照して、視聴予約を登録されたTV番組の放送開始時にTVチューナ１０５の受信チャネルを視聴予約を登録されたTV番組が放送されているTVチャネルに切り替えさせたり、視聴予約を登録されたTV番組の放送開始時に、視聴予約されたTV番組の放送が開始される旨のメッセージを出力することなどにより行う。
【００５５】
さて、ここで、図１に示した構成を有する複合情報端末システム１は、スマートTV等とも呼称される多機能TV装置として実現されるものであってもよい。
また、本実施形態で示した複合情報端末システム１は、スマートフォン（多機能移動電話機）や車載システム上に実現されるものであってもよい。
すなわち、スマートフォン上に実現する場合には、図６ａに示すように、スマートフォン６００を、表示装置１０１、入力装置１０３、TVチューナ１０５、記憶装置１０６、オペレーティングシステム１０７、SNSクライアント１１１、Webブラウザ１１２、TVコントロール１１３、移動電話網にアクセスするための移動通信装置６０１、音声の入出力を行う音声入出力部６０２、外部インタフェース６０３、スマートフォン６００を移動電話機として機能させるためのアプリケーションである移動電話コントロール６０４などから構成し、図１の通信装置１０４に代えて移動通信装置６０１を用い、図１の音声出力装置１０２に代えて音声入出力部６０２を用いるようにすればよい。
【００５６】
また、車載システム上に実現する場合には、図６ｂに示すように、車載システム６５０を、表示装置１０１、入力装置１０３、TVチューナ１０５、記憶装置１０６、オペレーティングシステム１０７、SNSクライアント１１１、Webブラウザ１１２、TVコントロール１１３、移動電話網にアクセスするための移動通信装置６５１、音声の入出力を行う音声入出力部６５２、外部インタフェース６５３、GPS受信機６５４、GPS受信機６５４を用いて算出した現在位置を用いて経路案内を行うアプリケーションであるナビゲーション６５５などから構成し、図１の通信装置１０４に代えて移動通信装置６５１を用い、図１の音声出力装置１０２に代えて音声入出力部６５２を用いるようにすればよい。
【００５７】
ただし、車載システム６５０上に実現する場合には、車載システム６５０に移動通信装置６５１を設けずに、外部インタフェース６５３を介して接続した外部の移動通信端末（たとえば、スマートフォン６００や移動電話機）を、図１の通信装置１０４に代えて用いるようにしてもよい。
【００５８】
また、以上のような複合情報端末システム１は、スマートフォン６００と車載システム６５０とを連携動作させて構成することもできる。
すなわち、図７に示すように、図６ａ、ｂに示したスマートフォン６００と車載システム６５０の構成において、スマートフォン６００にはTVチューナ１０５とTVコントロール１１３とWebブラウザ１１２を設けず、車載システム６５０には移動通信装置６０１とSNSクライアント１１１を設けないようにする。そして、スマートフォン６００のSNSクライアント１１１が上述した情報チャネル出力処理のステップ５１４において、外部インタフェース６０３を介して接続した車載システム６５０のWebブラウザ１１２に、Webページである情報チャネルのアクセスを要求したり、ステップ５１６において外部インタフェースを介して接続した車載システム６５０のTVコントロール１１３に、TVチャネルである情報チャネルの受信出力を要求するようにする。また、車載システム６５０のWebブラウザ１１２においてスマートフォン６００からアクセスを要求されたWebページを取得して車載システム６５０の表示装置１０１に表示し、車載システム６５０のTVコントロール１１３においてから受信出力を要求されたTVチャネルのTVチューナ１０５における受信と車載システム６５０の表示装置１０１への表示を制御するようにする。
【００５９】
また、上述した録画予約や視聴予約を行う場合には、スマートフォン６００のSNSクライアント１１１から、車載システム６５０のTVコントロール１１３に、録画予約や視聴予約を登録するようにする。
なお、図７に示す構成を採用する場合、スマートフォン６００のSNSクライアント１１１の情報チャネル出力処理で用いるEPGデータは、スマートフォン６００のSNSクライアント１１１がEPGサーバ４０から取得して用いるものであってもよいし、当該車載システム６５０のTVコントロール１１３がTVチューナ１０５を用いて取得したEPGデータをSNSクライアント１１１が取得して用いるものであってもよい。
【００６０】
ところで、以上の実施形態では、情報チャネルとしてTVチャネルとWebページとを用いた場合について説明したが、情報チャネルとしてはラジオ放送のチャネルなどの任意の放送チャネルや、インタフェースネット上の任意のコンテンツ（たとえば、ビデオデータや画像データなどのインタフェースネットコンテンツ）なども用いることができる。
【００６１】
ところで、本実施形態を車載システム６５０やモバイル装置に適用する場合、TVチューナ１０５で受信できるTVチャネルは車載システム６５０やモバイル装置の移動に伴って変化する。そこで、GPS受信機６５４やナビゲーション機能などの現在位置算出機能を備えた車載システム６５０やスマートフォン６００などのモバイル装置に本実施形態を適用する場合には、情報チャネル関連ワードテーブルをたとえば都道府県毎などの、その内では受信できるTVチャネルのセットが変化しない地域毎に設け、算出した現在位置が属する地域に応じて情報チャネル関連ワードテーブルを切り替えて用いるようにしてもよい。
【００６２】
以上のように、本実施形態によれば、TVやラジオで放送されている番組や、Webページなどのインターネットコンテンツを話題としている記事に、その話題の対象が配信される情報チャネルを表す語句が含まれていれば、当該情報チャネルより番組やインターネットコンテンツを取得して、ユーザに対して提示することができる。また、TVやラジオで放送されている番組を話題としている記事に、その番組を表す語句等が含まれていれば、当該番組の録画予約や視聴予約を行うことができる。よって、ユーザは、SNSに投稿された投稿記事４１０で話題となっている情報を、容易に取得できるようになる。
【符号の説明】
【００６３】
１…複合情報端末システム、２０…TV放送局、３０…インターネット、４０…EPGサーバ、５０…Webサーバ、６０…SNSサーバ、６１…投稿記事データベース、６２…投稿受付部、６３…投稿記事サーバ、１０１…表示装置、１０２…音声出力装置、１０３…入力装置、１０４…通信装置、１０５…TVチューナ、１０６…記憶装置、１０７…オペレーティングシステム、１１１…SNSクライアント、１１２…Webブラウザ、１１３…TVコントロール、３０１…TVチャネル情報、３０２…番組情報、４１０…投稿記事、４１２…投稿文、４１３…話題タグ、６００…スマートフォン、６０１…移動通信装置、６０２…音声入出力部、６０４…移動電話アプリケーション、６５０…車載システム、６５４…GPS受信機、６５５…ナビゲーション。
【図１】
2014120908.tif 000003
【図２】
2014120908.tif 000004
【図３】
2014120908.tif 000005
【図４】
2014120908.tif 000006
【図５】
2014120908.tif 000007
【図６】
2014120908.tif 000008
【図７】
2014120908.tif 000009